(57)【要約】【課題】外部環境に関する情報を容易に取得すると共に、取得した情報を利用して適切なコンテンツの種類、または適切なコンテンツを容易に選択すること。【解決手段】撮像部１０（色信号検出部）により撮影された画像に含まれる複数の色信号に基づいて色温度を判定する色温度判定部１２Ｂと、色温度判定部１２Ｂによって判定された色温度に応じてコンテンツの種類、またはコンテンツを選択する情報選択制御部１２Ａとを有する携帯端末１（情報選択制御装置）とする。【選択図】図１
2012155449.tif 000002
【特許請求の範囲】
【請求項１】
複数の色信号を検出する色信号検出部と、
前記色信号検出部によって検出された前記複数の色信号に基づいて色温度を判定する色温度判定部と、
前記色温度判定部によって判定された前記色温度に応じてコンテンツの種類、またはコンテンツを選択する情報選択制御部と、
を有することを特徴とする情報選択制御装置。
【請求項２】
請求項１に記載の情報選択制御装置であって、
前記情報選択制御部は、
所定の時間間隔で前記色信号検出部により前記複数の色信号を検出させることを特徴とする情報選択制御装置。
【請求項３】
請求項１または２に記載の情報選択制御装置であって、
前記色温度判定部による色温度の判定に応じて選択すべきコンテンツの種類、またはコンテンツが関連付けられている情報選択テーブルを有し、
前記情報選択制御部は、前記情報選択テーブルを参照して前記コンテンツの種類、または前記コンテンツを選択することを特徴とする情報選択制御装置。
【請求項４】
請求項３に記載の情報選択制御装置であって、
前記情報選択テーブルには、
前記色温度に加えて、装置外部の音量、現在時刻、またはこれら複数の組み合わせに応じて選択すべき前記コンテンツの種類、または前記コンテンツが関連付けられており、
前記情報選択制御部は、前記情報選択テーブルを参照して前記コンテンツの種類、または前記コンテンツを選択する、
ことを特徴とする情報選択制御装置。
【請求項５】
請求項４に記載の情報選択制御装置であって、
ユーザの操作によって前記コンテンツのジャンル、または前記コンテンツが選択可能である操作部を有し、
前記情報選択制御部は、
前記色温度判定部によって判定された前記色温度に応じて選択した前記コンテンツのジャンル、または前記コンテンツが所定時間内に前記操作部が操作されることによりその他のコンテンツのジャンル、またはその他のコンテンツへ変更された場合、前記情報選択テーブルの前記色温度に応じた関連付けにその変更された前記その他のコンテンツのジャンル、またはその他のコンテンツを記憶させる、
ことを特徴とする情報選択制御装置。
【請求項６】
複数の色信号を検出する色信号検出部によって検出された複数の色信号に基づいて色温度を判定し、
判定された色温度に応じてコンテンツの種類、またはコンテンツを選択する、
ことを特徴とする情報選択制御方法。
【請求項７】
コンピュータを、
複数の色信号を検出する色信号検出部によって検出された複数の色信号に基づいて色温度を判定する色温度判定手段と、
前記色温度判定手段によって判定された色温度に応じてコンテンツの種類、またはコンテンツを選択する情報選択制御手段、
として機能させるためのプログラム。
【発明の詳細な説明】
【技術分野】
【０００１】
本発明は、情報選択制御装置、情報選択制御方法、およびプログラムに関する。
【背景技術】
【０００２】
従来、自動車の走行環境に合致した音楽を操作の煩わしさなしに聴くことができる音楽情報提供装置が知られている（たとえば、特許文献１参照）。また、近年、携帯電話などに代表される携帯端末では、カメラ機能を有するものが一般的である。
【先行技術文献】
【特許文献】
【０００３】
【特許文献１】特開２００３−１５０１７６号公報
【発明の概要】
【発明が解決しようとする課題】
【０００４】
特許文献１に開示される自動車の音楽情報提供装置では、自動車の走行環境に応じて選曲するため、衛星測位システム、道路交通情報通信システムなどの外部システムとネットワーク経由で通信して情報を取得する必要がある。また、情報を取得する音楽情報提供装置側ではこれらの処理を行う構成や処理が必要となる。また、携帯電話などに代表されるカメラ機能を有する携帯端末では、撮影以外にカメラが利用されることがない。
【０００５】
そこで、本発明は、上述した課題に鑑み、外部環境に関する情報を容易に取得すると共に、取得した情報を利用して適切なコンテンツの種類、または適切なコンテンツを容易に選択できる情報選択制御装置、情報選択制御方法、およびプログラムを提供することを目的とする。
【課題を解決するための手段】
【０００６】
本発明の一側面は、情報選択制御装置に係るものである。すなわち、複数の色信号を検出する色信号検出部と、色信号検出部によって検出された複数の色信号に基づいて色温度を判定する色温度判定部と、色温度判定部によって判定された色温度に応じてコンテンツの種類、またはコンテンツを選択する情報選択制御部とを有する情報選択制御装置である。
【０００７】
また、本発明の一側面は、上述した情報選択制御装置の構成に加えて、情報選択制御部は、所定の時間間隔で色信号検出部により複数の色信号を検出させることが好ましい。
【０００８】
また、本発明の一側面は、上述した情報選択制御装置の構成に加えて、色温度判定部による色温度の判定に応じて選択すべきコンテンツの種類、またはコンテンツが関連付けられている情報選択テーブルを有し、情報選択制御部は、情報選択テーブルを参照してコンテンツの種類、またはコンテンツを選択することが好ましい。
【０００９】
また、本発明の一側面は、上述した情報選択制御装置の構成に加えて、情報選択テーブルには、色温度に加えて、装置外部の音量、現在時刻、またはこれら複数の組み合わせに応じて選択すべきコンテンツの種類、またはコンテンツが関連付けられており、情報選択制御部は、情報選択テーブルを参照してコンテンツの種類、またはコンテンツを選択することが好ましい。
【００１０】
また、本発明の一側面は、上述した情報選択制御装置の構成に加えて、ユーザの操作によってコンテンツのジャンル、またはコンテンツが選択可能である操作部を有し、
情報選択制御部は、色温度判定部によって判定された色温度に応じて選択したコンテンツのジャンル、またはコンテンツが所定時間内に操作部が操作されることによりその他のコンテンツのジャンル、またはその他のコンテンツへ変更された場合、情報選択テーブルの色温度に応じた関連付けにその変更されたその他のコンテンツのジャンル、またはその他のコンテンツを記憶させることが好ましい。
【００１１】
また、本発明の一側面は、上述した情報選択制御装置が実行する情報選択制御方法に係るものである。すなわち、複数の色信号を検出する色信号検出部によって検出された複数の色信号に基づいて色温度を判定し、判定された色温度に応じてコンテンツの種類、またはコンテンツを選択する情報選択制御方法である。
【００１２】
また、本発明の一側面は、上述した情報選択制御装置としてコンピュータを機能させるためのプログラムに係るものである。すなわち、コンピュータを、複数の色信号を検出する色信号検出部によって検出された複数の色信号に基づいて色温度を判定する色温度判定手段と、色温度判定手段によって判定された色温度に応じてコンテンツの種類、またはコンテンツを選択する情報選択制御手段として機能させるためのプログラムである。
【発明の効果】
【００１３】
本発明によれば、外部環境に関する情報を容易に取得すると共に、取得した情報を利用して適切なコンテンツの種類、または適切なコンテンツを容易に選択できる情報選択制御装置、情報選択制御方法、およびプログラムを提供することができる。
【図面の簡単な説明】
【００１４】
【図１】本発明の実施例１に係る携帯端末の概略構成を示す図である。
【図２】図１に示す携帯端末が実行する色温度判定方法例を説明するための図である。
【図３】図１に示す情報選択テーブルによって実現される情報選択の関連付け例を示す図である。
【図４】図１に示す携帯端末において実行される情報選択制御処理を示すフローチャートである。
【図５】本発明の実施例２に係る携帯端末が有する情報選択テーブルによって実現される情報選択の関連付け例を示す図である。
【図６】本発明の実施例３に係る携帯端末が有する情報選択テーブルによって実現される情報選択の関連付け例を示す図である。
【図７】本発明の実施例４に係る携帯端末が有する情報選択テーブルによって実現される情報選択の関連付け例を示す図である。
【図８】本発明の実施例５に係る携帯端末が有する情報選択テーブルによって実現される情報選択の関連付け例を示す図である。
【図９】カラーセンサモジュールを用いた場合の色温度を判定する方法を説明するための図である。
【発明を実施するための形態】
【００１５】
以下、図面を参照しながら、本発明の情報選択制御装置、情報選択制御方法およびプログラムの一実施の形態について説明する。なお、ここで説明する内容はあくまで一例であり、本発明はこの実施例に限定されない。
【実施例１】
【００１６】
（携帯端末の構成）
図１は、本発明の実施例１に係る携帯端末１の概略構成を示す図である。携帯端末１は、撮像部１０、撮像信号処理部１１、制御部１２、音声入力部１３、操作部１４、音声出力部１５、表示部１６、および記憶部１７を有する。
【００１７】
色信号検出部の一例としての撮像部１０は、たとえば、カメラレンズの撮影光学系、および撮像素子（撮像デバイス）などから構成される。撮像部１０は、携帯端末１の周囲を撮影し、撮影により生成される撮像信号を撮像信号処理部１１へ出力する。
【００１８】
撮像信号処理部１１は、たとえば、撮像部１０から出力された撮像信号に対して所定の信号処理を行ういわゆるマルチメディアＩＣなどで構成される。撮像信号処理部１１は、所定の信号処理が施された撮像信号を、ベースバンドのデジタル信号として制御部１２へ出力する。具体的には、撮像信号処理部１１は、撮像部１０から出力された撮像信号に対して、ＣＤＳ（Correlated Double Sampling）回路などにより画像情報を有する信号だけをサンプリングするとともにノイズを除去する。そして、ＡＧＣ（Auto Gain Control）回路によりゲインを調整して、Ａ／Ｄ（Analog/Digital）変換回路によりデジタル信号に変換する。さらに、撮像信号処理部１１は、変換後のデジタル信号に対して検波系の信号処理を施して、Ｒ（赤色）、Ｇ（緑色）およびＢ（青色）の各色の色信号を抽出し、この抽出した色信号に対してγ補正、ホワイトバランス補正などの各種補正処理を行う。そして、撮像信号処理部１１は、最終的に１つのベースバンドのデジタル信号として制御部１２へ出力する。
【００１９】
制御部１２は、たとえば、ＣＰＵ（Central Processing Unit）および周辺回路などで構成され、音声処理およびその制御、画像表示処理およびその制御、撮像部１０による撮影処理の実行制御などを行う。また、制御部１２は、記憶部１７に記憶されている各種の制御プログラム、アプリケーションプログラムの実行およびそれに付随する各種データの演算処理などを行う。なお、制御部１２は、情報選択制御部１２Ａ、色温度判定部１２Ｂとしても機能するが、これらの処理の詳細については後述する。
【００２０】
音声入力部１３は、たとえば、マイクロホンなどのユーザが音声などを入力するための音声入力デバイスで構成される。操作部１４は、たとえば、テンキー、十字キー、シャッターボタンなどの各種キーおよび各種ボタン、タッチパネルなどで構成される。操作部１４は、ユーザにより操作されると出力信号を生成し、その出力信号を制御部１２へ出力する。音声出力部１５は、たとえば、スピーカなどで構成される。表示部１６は、たとえば、ＬＣＤ(Liquid Crystal Display）などのディスプレイなどで構成される。
【００２１】
記憶部１７は、たとえば、ＤＤＲ ＳＤＲＡＭ（Double Data Rate SDRAM）と、ＮＡＮＤ型フラッシュメモリ（NAND-type flash memory）とから構成される。ＮＡＮＤ型フラッシュメモリには、ＯＳ（Operating System）のプログラム、制御部１２が各部を制御するための制御プログラム、カメラアプリケーションソフトウェアを含む各種のアプリケーションプログラム、圧縮符号化された楽曲データ、動画像データ、静止画像データなどの各コンテンツの他、各種の設定値データ、フォントデータ、各辞書データ、携帯端末１の機種名データ、携帯端末１のシリアル番号データ、および色温度に応じたコンテンツのジャンル、またはコンテンツを選択できる情報選択テーブル１７Ａなどが記憶される。なお、本実施例のコンテンツとして楽曲データを例に説明するが、動画像データ、静止画像データであってもよいし、これら複数が含まれたものであってもよい。
【００２２】
ＤＤＲ ＳＤＲＡＭは、制御部１２が各種のデータ処理、演算を行う際の一時的な作業領域として、データを記憶する。なお、携帯端末１の記憶部１７には、上述した構成以外にも、たとえば、ＨＤＤ、ＳＤ（Secure Digital）カードなどの外部メモリカードが着脱可能なメモリカードスロットを備えるものとしてもよい。
【００２３】
（色温度判定処理について）
続いて色温度判定処理について説明する。図２は、図１に示す携帯端末１が実行する色温度判定方法例を説明するための図である。
【００２４】
図２に示すように、撮像信号処理部１１は、プリアンプ１１Ａｒ、１１Ａｇ、１１Ａｂ、ホワイトバランスアンプ１１Ｂｒ、１１Ｂｇ、１１Ｂｂ、オートホワイトバランス制御部１１Cを有し、撮像部１０のレンズ１０Ａ、撮像素子１０Ｂを介して出力されるＲ（赤色）、Ｇ（緑色）およびＢ（青色）の各色の色信号についてのホワイトバランスを調整するように構成されている。なお、この例において、オートホワイトバランス制御部１１Ｃに含まれる演算アンプ部１１Ｃａ、ゲイン調整部１１Ｃｇにより、ＲとＢの色信号のゲインを調整することでホワイトバランスが調整され、この調整されたＲのゲイン（ＲＧａｉｎ）およびＢのゲイン（ＢＧａｉｎ）の各値が色温度判定部１２にも出力されるように構成されている。ここで、色温度判定部１２Ｂは、所定の色温度（たとえば太陽光など）において、撮像部１０の撮像素子１０Ｂに白、グレーの光が入った時の、ＢＧａｉｎ、ＲＧａｉｎの値からＢＧａｉｎ／ＲＧａｉｎの比率（ＢＧａｉｎの値をＲＧａｉｎの値で除算した値）を算出し、その算出された値を基準として比較することで所定の色温度より高いか低いかを判定する。このように、色温度判定部１２がＢＧａｉｎ/ＲＧａｉｎの比率で計算し、算出された値よりも小さな値が検出された場合には、所定の色温度より高いと判定し、逆に算出された値より大きな値が検出された場合には所定の色温度より低いと判定する。なお、所定の色温度の基準光を入れたときのＢＧａｉｎ／ＲＧａｉｎの比率を示す値は、１つに限らず、携帯端末１の製造時に記憶部１７（たとえば不揮発性のメモリなど）に複数の色温度の基準光を入れたときのＢＧａｉｎ／ＲＧａｉｎの比率を示す値をそれぞれ記憶しておき、それらの値とホワイトバランスの調整された値とをそれぞれ比較することにより簡単に複数の所定の色温度について判定することができる。
【００２５】
なお、携帯端末１の製造時に、所定の色温度の基準光を撮像部１０に入射して、プリアンプ１１Ａｒ、１１Ａｇ、１１Ａｂの各ゲインを調整して、ＢＧａｉｎ＝ＲＧａｉｎとなるように設定しておき、色温度判定部１２Ｂへ出力される各値から計算される比率が１より大きいか小さいかによって所定の色温度より高いか否かを判定するようにしてもよい。すなわち、色温度判定部１２Ｂは、いずれの方法でも、ＢＧａｉｎとＲＧａｉｎの比率から色温度の判定を容易に行うことができる。なお、情報選択制御部１２Ａは、色温度判定部１２Ｂの判定結果に基づいて、記憶部１７に記憶されている後述する情報選択テーブル１７Ａ（図３）を参照し、色温度の判定結果に応じたコンテンツのジャンルを選択することができる。そして、情報選択制御部１２Ａは、その選択されたコンテンツのジャンルに含まれるコンテンツが音声データの場合には音声出力部１５に出力し、動画像データ、静止画像データの場合には表示部１６に出力する。
【００２６】
（情報選択テーブルについて）
続いて、記憶部１７に記憶されている情報選択テーブル１７Ａについて説明する。図３は、図１に示す情報選択テーブル１７Ａによって実現される情報選択の関連付け例を示す図である。この図３に示す情報選択テーブル１７Ａには、「色温度の分類」に示すように、所定の色温度が撮像部１０へ入射されたときのＢＧａｉｎ/ＲＧａｉｎの比率を示す値に応じた区分がそれぞれ設定され、色温度判定部１２Ｂによる判定結果に応じて「選曲されるジャンル」が決定されるようになっている。なお、この「選曲されるジャンル」と、記憶部１７に記憶されている個々の楽曲データとの関連付けについては、情報選択テーブル１７Ａに含まれるように構築してもよいし、個々の楽曲データをジャンル別に分類するデータベース（不図示）を別途有するものとして構築してもよい。また、楽曲データを携帯端末１に記憶する際に、その楽曲データのメタデータ（たとえば、その楽曲データの特徴、ジャンルを示す情報など）からジャンルを決定して、情報選択テーブル１７Ａ、または上述のデータベースに記憶するようにしてもよい。また、個々の楽曲データをジャンル別二分類する方法としては、楽曲データを解析した曲調に基づく分類であってもよい。
【００２７】
また、選択されたジャンルに含まれる楽曲データが複数存在する場合には、その選択されたジャンルに含まれる複数の楽曲間において再生回数が多い順、登録日時が新しい順、ランダムに抽出など、様々な手法によって最終的に選択する楽曲を決定することが可能である。なお、「色温度の分類」の項目自体は、「色温度の判定結果」と「選曲されるジャンル」の対応付けがあれば判定可能であるため情報として保持していなくともよい。
【００２８】
（情報選択制御処理について）
図４は、図1に示す携帯端末１において実行される情報選択制御処理を示すフローチャートである。この図４に示すフローチャートは、たとえば、携帯端末１の電源（不図示）がＯＮになる、またはこの情報選択制御を行う設定とされた場合に処理が開始される（ＳＴＡＲＴ）。携帯端末１の撮像部１０によって撮影処理がなされると（ステップＳ１）、その撮影処理によって生成された信号から上述したような色温度判定処理が行われる（ステップＳ２）。そして、携帯端末１の制御部１２は、上述したような色温度判定処理の判定結果に基づいて、情報選択テーブル１７Ａを参照して、選択する情報を決定する。携帯端末１の制御部１２は、選択した情報の提示が許可された場合（ステップＳ４でＹＥＳ）には、情報を出力し、許可されない場合（ステップＳ４でＮＯ）には、情報選択制御処理を終了する（ＥＮＤ）。具体的には、たとえば、ステップＳ４において、携帯端末１の制御部１２は、表示部１６に選択された楽曲を再生するか否かを確認するメッセージ（不図示）を表示させて、ユーザが再生することを選択した場合にその楽曲を再生する。なお、ステップＳ１において撮像部１０によって行われる撮影処理は、ユーザが操作部１４を操作することによってなされるものであってもよいし、所定の時間間隔（またはタイミング）で自動的に撮影処理が行われるように制御部１２が撮像部１０を制御するようにしてもよい。これにより、ユーザにより楽曲が再生されている場合、または再生されていない場合のいずれであっても、ユーザに対して選択された楽曲を提案することが可能となる。
【００２９】
なお、図４に示した、携帯端末１が実行する処理のすべてまたは一部をプログラムによって実行可能となるように構成し、このプログラムを情報処理装置（コンピュータ）にインストールすることで各機能を実現する手段として機能させるようにしてもよい。なお、これらのプログラムを実行可能な状態で記録した媒体からコンピュータに直接インストールすることも可能であるが、ネットワーク経由で遠隔にあるコンピュータにインストールしてもよい。
【００３０】
以上のように、実施例１に係る携帯端末１、携帯端末１が実行する情報選択制御方法、および携帯端末１を実現するためのプログラムは、オフィス(主に蛍光灯下)で携帯端末１を使用している場合、屋外で携帯端末１を使用している場合、さらには、落ち着いた雰囲気のバーで携帯端末１を使用している場合など、携帯端末１の撮像部１０によって撮影された画像から周囲の環境に関する情報を容易に取得することが可能であり、その取得した情報に応じて適切な楽曲のジャンル、または適切な楽曲を容易に選択することができる。特に、携帯端末１が携帯電話の場合、カメラ機構は既に一般的に備えられているため、ハードウェア的なコストをかけることなく安価に実現することが可能である。
【実施例２】
【００３１】
本発明の実施例２に係る携帯端末（以下、実施例２に係る携帯端末を「携帯端末１Ｂ」とする。）について説明する。実施例２に係る携帯端末１Ｂは、実施例１の携帯端末１が有する情報選択テーブル１７Ａとは異なる情報選択テーブルを有する。具体的には、実施例２の情報選択テーブルには、色温度に関する区分の他に、携帯端末１Ｂの周囲の音の大きさに関する区分が設けられ、制御部１２は、これらの組み合わせを参照することにより選曲する楽曲のジャンル、または楽曲を選択する。なお、実施例２の携帯端末１Ｂは、情報選択テーブル１７Ａ以外の構成は実施例１の携帯端末１と同様であるため、実施例２の携帯端末１Ｂの各機能の説明、情報制御方法およびプログラムについても適宜簡略化または省略する。
【００３２】
図５は、本発明の実施例２に係る携帯端末１Ｂが有する情報選択テーブル１７Ｂによって実現される情報選択の関連付け例を示す図である。図５に示すように、情報選択テーブル１７Ｂには、色温度に関する区分に加えて、音の大きさを示す基準値（たとえば、６０ｄＢなど）より大きいか小さいかに応じた区分が設けられている。なお、この音の大きさを示す基準値は、上記以外の数値に設定されてもよいし、ユーザが操作部１４を操作することで設定できるものとしてもよい。制御部１２は、携帯端末１Ｂの周囲の音（環境音）を音声入力部１３により所定時間サンプリングして検出し、その平均値と情報選択テーブル１７Ｂの区分に応じて選曲する楽曲のジャンル、または楽曲を選択する。なお、制御部１２は、平均値以外の値（たとえば、所定時間内の最高値、最低値など）に基づいて情報選択テーブル１７Ｂの区分に応じて選曲する楽曲のジャンル、または楽曲を選択するようにしてもよい。
【００３３】
このように、実施例２に示す携帯端末１Ｂ、情報選択制御方法およびプログラムは、撮像部１０により撮影された画像の色信号に基づく色温度による判定に加えて、音声入力部１３により周囲の環境音のレベルを容易に収集し、その収集した情報に基づいて判定を行うことにより、携帯端末１Ｂを所有しているユーザが落ち着いた場所にいるのか、うるさい場所にいるのかといった周囲の環境音についても考慮して、適切な楽曲のジャンル、または適切な楽曲を容易に選択することができる。特に、実施例２の携帯端末１Ｂが携帯電話の場合、音声入力部１３の一例としてマイクロホンは既に一般的に備えられているため、ハードウェア的なコストをかけることなく安価に実現することが可能である。ここで収集する周囲の環境音のレベルは、所定時間単位の平均音量（例えば６０ｄＢ以上）などである。
【実施例３】
【００３４】
本発明の実施例３に係る携帯端末（以下、実施例３に係る携帯端末を「携帯端末１Ｃ」とする。）について説明する。実施例３に係る携帯端末１Ｃは、実施例１の携帯端末１が有する情報選択テーブル１７Ａとは異なる情報選択テーブルを有する。具体的には、実施例３の情報選択テーブルには、色温度に関する区分の他に、所定の時間帯に応じた区分が設けられ、制御部１２は、これらの組み合わせを参照することにより選曲する楽曲のジャンル、または楽曲を選択する。なお、実施例３の携帯端末１Ｃは、情報選択テーブル１７Ａ以外の構成は実施例１の携帯端末１と同様であるため、実施例３の携帯端末１Ｃの各機能の説明、情報制御方法およびプログラムについても適宜簡略化または省略する。
【００３５】
図６は、本発明の実施例３に係る携帯端末１Ｃが有する情報選択テーブル１７Ｃによって実現される情報選択の関連付け例を示す図である。図６に示すように、情報選択テーブル１７Ｃには、色温度に関する区分に加えて、所定の時間帯（たとえば、朝、夜、日中など）に応じた区分がさらに設けられている。なお、朝（５：００〜８：５９）、夜（１８：００〜２４：００）、日中（９：００〜１６：００）として設定された所定の時間帯の範囲は、図６に示す以外の範囲に設定してもよい。また、図６に示した区分以外の所定の時間帯にも選曲される楽曲のジャンル、または楽曲を設定してもよいし、特に設定しなくてもよい。また、制御部１２は、不図示の時計機構、またはネットワークを経由してＮＴＰ（Network Time Protocol）サーバなどから現在の時刻情報を取得し、その取得した現在の時刻情報と情報選択テーブル１７Ｃの所定の時間帯の区分に応じて選曲する楽曲のジャンル、または楽曲を選択する。
【００３６】
このように、実施例３に示す携帯端末１Ｃ、情報選択制御方法およびプログラムは、撮像部１０により撮影された画像の色信号に基づく色温度による判定に加えて、所定の時間帯に応じた区分により判定を行うことにより、現在の時間帯が朝、日中、夜といった時間帯も考慮して、適切な楽曲のジャンル、または適切な楽曲を容易に選択することができる。特に、携帯端末１Ｃが携帯電話の場合、時計機構は既に一般的に備えられているため、ハードウェア的なコストをかけることなく安価に実現することが可能である。
【実施例４】
【００３７】
本発明の実施例４に係る携帯端末（以下、実施例４に係る携帯端末を「携帯端末１Ｄ」とする。）について説明する。実施例４に係る携帯端末１Ｄは、実施例３の携帯端末１Ｃが有する情報選択テーブル１７Ｃとは異なる情報選択テーブルを有する。具体的には、実施例４の情報選択テーブルでは、実施例３の情報選択テーブル１７Ｃに記憶されている内容に基づいて選択された楽曲のジャンル、または楽曲が所定時間内にユーザが操作部１４を操作することによって変更された場合に、実施例３の情報選択テーブル１７Ｃに記憶されている時間帯および色温度に対応付けられている楽曲のジャンル、または楽曲をその変更されたもので更新するように構成され、制御部１２は、その更新内容を参照することにより選曲する楽曲のジャンル、または楽曲を選択する。なお、実施例４の携帯端末１Ｄは、情報選択テーブル１７Ｃ以外の構成は実施例３の携帯端末１Ｃと同様であるため、実施例４の携帯端末１Ｄの各機能の説明、情報制御方法およびプログラムについても適宜簡略化または省略する。
【００３８】
図７は、本発明の実施例４に係る情報選択テーブル１７Ｄによって実現される情報選択の関連付け例を示す図である。図７では、たとえば、図６に示す情報選択テーブル１７Ｃに記憶されている「選曲されるジャンル」を初期値とし、色温度が低く、朝の時間帯において、ユーザが操作部１４を操作することにより演歌が選曲された場合、情報選択テーブル１７Ｄの該当項目の「選曲されるジャンル」が「ムード歌謡曲」から「演歌」へと変更される。また、たとえば、色温度が低く、夜の時間帯において、ユーザが操作部１４を操作することにより流行している曲が選曲された場合、情報選択テーブル１７Ｄの該当項目の「選曲されるジャンル」が「リラックスできる雰囲気の曲」から「流行している曲」へと変更される。
【００３９】
このように、実施例４に示す携帯端末１Ｄ、情報選択制御方法およびプログラムは、撮像部１０により撮影された画像の色信号に基づく色温度による判定に加えて、実際にユーザが選択した楽曲のジャンル、または楽曲を考慮して、適切な楽曲のジャンルまたは適切な楽曲を容易に選択することができる。
【実施例５】
【００４０】
本発明の実施例５に係る携帯端末（以下、実施例５に係る携帯端末を「携帯端末１Ｅ」とする。）について説明する。実施例５に係る携帯端末１Ｅは、実施例１の携帯端末１が有する情報選択テーブル１７Ａとは異なる情報選択テーブルを有する。具体的には、実施例５の情報選択テーブルには、色温度の判定項目、周囲の環境音の判定項目、現在の時間帯の判定項目、初期に設定されている楽曲のジャンルもしくは楽曲と、ユーザが操作部１４を操作するにより選択されたコンテンツの属するジャンルもしくは楽曲それぞれが設定され、制御部１２は、これらの組み合わせを参照することにより選曲する楽曲のジャンル、または楽曲を選択する。なお、実施例５の携帯端末１Ｅは、情報選択テーブル１７Ａ以外の構成は実施例１の携帯端末１と同様であるため、実施例５の携帯端末１Ｅの各機能の説明、情報制御方法およびプログラムについても適宜簡略化または省略する。
【００４１】
図８は、本発明の実施例５に係る携帯端末１Ｅの情報選択テーブル１７Ｅによって実現される情報選択の関連付け例を示す図である。なお、色温度の「基準値（４０００Ｋ〜６４９９Ｋ）」、「色温度が高い（６５００Ｋ〜）」の判定区分の図示は省略した。図８では、実施例２の要素（環境音の大小）、実施例３の要素（具体的な時間帯）、および実施例４の要素（初期値およびユーザ操作によって選択された楽曲のジャンルもしくは楽曲）の組み合わせに応じて選曲する楽曲のジャンル、または楽曲を選択することができる。なお、情報選択テーブル１７Ｅは、実施例２の要素（環境音）、実施例３の要素（時間帯）、および実施例４の要素（初期設定の情報）のいずれかを有さない情報選択テーブルとしてもよいし、他の要素が含まれるものとしてももちろんよい。
【００４２】
このように、実施例５に示す携帯端末１Ｅ、情報選択制御方法およびプログラムは、撮像部１０により撮影された画像の色信号に基づく色温度による判定に加えて、周囲の環境音のレベル、現在の時間帯、実際にユーザが選曲した楽曲のジャンル、もしくは楽曲といった要素のいずれか、または複数を考慮して適切な楽曲のジャンル、または適切な楽曲を容易に選択することができる。特に、携帯端末１が携帯電話の場合、カメラ機構、マイクロホン、時計機構などは既に一般的に備えられているため、ハードウェア的なコストをかけることなく安価に実現することが可能である。
【００４３】
（その他の変形例）
以上、上述した実施例１〜実施例５に係る携帯端末１，１Ｂ，１Ｃ，１Ｄ，１Ｅに基づいて説明したが、本発明に係る情報選択制御装置、情報選択制御方法およびプログラムは、種々変更が可能である。たとえば、実施例１〜実施例５に係る携帯端末１，１Ｂ，１Ｃ，１Ｄ，１Ｅでは、色信号検出部として撮像部１０を有するものとしたが、撮像部１０に代えて、カラーセンサモジュールを用いて色温度の判定を行うようにしてもよい。図９は、カラーセンサモジュールを用いた場合の色温度を判定する方法を説明するための図である。カラーセンサモジュール１８は、カラーフィルタ１８Ａｒ，１８Ａｇ，１８Ａｂと、光センサ１８Ｂｒ，１８Ｂｇ，１８Ｂｂとを有する。そして、このカラーセンサモジュール１８に所定の色温度の光を入射したときの出力Ｖｏが所定の値（たとえば１）となるように、携帯端末１の製造工程においてアンプ１９ｒ，１９ｂのゲインを調整しておき、それぞれの環境における出力Ｖｏが上述の所定の値（たとえば１）と比較して大きいか、小さいかを色温度判定部１２Ｂが判定することにより色温度の高低を判定するようにすればよい。これにより、撮像部１０を有さない携帯端末１，１Ｂ，１Ｃ，１Ｄ，１Ｅであっても、カラーセンサモジュール１８により周囲の環境に関する情報を容易に取得でき、その取得した色信号に応じて選択する楽曲のジャンル、または楽曲を選択することができる。
【００４４】
また、携帯電話などに一般的に備えられている周囲の明るさを検出する照度検出部（たとえば、照度センサ）を携帯端末１，１Ｂ，１Ｃ，１Ｄ，１Ｅにも備えさせ、色温度の判定に代えて、または色温度の判定に加えて、この周囲環境の明るさの区分に応じた楽曲のジャンル、または楽曲が選択できるように情報選択テーブル１７Ａ，１７Ｂ，１７Ｃ，１７Ｄ，１７Ｅをそれぞれ変更するようにしてもよい。なお、照度検出部の一例としての照度センサは、たとえば明るさに応じて抵抗値が変化するセンサ素子からなり、特にセンサ用ドライバやその起動などを必要としないデバイスにより構成することが好ましい。このような構成とすることで、ほとんど電力を消費することがなく、携帯端末１，１Ｂ，１Ｃ，１Ｄ，１Ｅの本体電源が入っている状態で常に外部環境の照度を検出することが可能である。なお、周囲環境の明るさ検出用途の照度センサは、撮像部１０のカメラレンズが向けられている方向の明るさを検出できるように、携帯端末１，１Ｂ，１Ｃ，１Ｄ，１Ｅの筐体外壁面のうちで撮像部１０のカメラレンズが設けられている位置の近傍に取り付けることが好ましい。
【００４５】
また、上述した携帯端末１，１Ｂ，１Ｃ，１Ｄ，１Ｅに、デジタルテレビ放送、アナログテレビ放送、またはラジオ放送などのいずれか、または複数を受信することができるように、それらのチューナＩＣおよびアンテナを有するものとし、これらの放送局、または放送局が提供するコンテンツを選択できるように構成してもよい。そして、実施例１〜５の各情報選択テーブルの「選曲されるジャンル」の項目の代わりに選択される放送局、または放送局が提供する番組を設定することで、周囲の環境に適した放送局、または放送局が提供する番組を容易に選択することが可能となる。
【００４６】
また、上述した実施例１〜実施例５に係る携帯端末１，１Ｂ，１Ｃ，１Ｄ，１Ｅにおける色温度の判定方法（推定方法も含む）は、公知の判定方法（推定方法含む）、たとえば、特開２００２−２９０９８８号公報に開示される光源推定手段、特開２００８−３０１２７９号公報に開示される光源推定部などを採用してもよい。また、上述した実施例１〜実施例５に係る携帯端末１，１Ｂ，１Ｃ，１Ｄ，１Ｅにおける楽曲データの分類方法は、公知の分類方法、たとえば、特開２００８−２４３１０４号公報に開示される分類手段などを採用してもよい。
【００４７】
また、上述した実施例１〜実施例５に係る携帯端末１，１Ｂ，１Ｃ，１Ｄ，１Ｅは、携帯型の装置を前提として説明したが、本発明の情報選択制御装置は、据置型（固定型）の装置であっても適用可能である。
【符号の説明】
【００４８】
１，１Ｂ，１Ｃ，１Ｄ，１Ｅ・・・携帯端末（情報選択制御装置の一例）、１０・・・撮像部（色信号検出部の一例）、１１・・・撮像信号処理部、１２・・・制御部、１２Ａ・・・情報選択制御部、１２Ｂ・・・色温度判定部、１３・・・音声入力部、１４・・・操作部、１５・・・音声出力部、１６・・・表示部、１７・・・記憶部、１７Ａ，１７Ｂ，１７Ｃ，１７Ｄ，１７Ｅ・・・情報選択テーブル
【図１】
2012155449.tif 000003
【図２】
2012155449.tif 000004
【図３】
2012155449.tif 000005
【図４】
2012155449.tif 000006
【図５】
2012155449.tif 000007
【図６】
2012155449.tif 000008
【図７】
2012155449.tif 000009
【図８】
2012155449.tif 000010
【図９】
2012155449.tif 000011